(57)【要約】【課題】放送番組の電波の受信状態により変化するユーザの嗜好を考慮して、ユーザの嗜好にあった番組の情報をお薦め番組としてユーザに提供することができる番組情報提供装置を提供すること。【解決手段】目的地までの走行予定経路に関する情報と目的地までの走行予定時間に関する情報とに基づいて予想される放送番組の電波の予想受信率と、番組の放送予定の情報と、放送番組の電波の受信状態により変化するユーザの放送番組に対する嗜好度に関する情報と、に基づいて放送番組に対するユーザの視聴満足度を算出し、視聴満足度に基づいて作成された番組情報を提供する。【選択図】        図１
2009033671.tif 000002
【特許請求の範囲】
【請求項１】
車両内において視聴可能な放送番組の番組情報をユーザに提供する番組情報提供装置であって、
前記車両の出発地から目的地までの走行予定時間に関する情報に基づいて、前記車両の出発地から目的地までの走行予定経路における放送番組の放送予定に関する番組放送予定情報を取得する番組放送予定情報取得手段と、
放送番組の電波の受信状態により変化するユーザの前記放送番組に対する嗜好度に関する情報を記憶する記憶手段と、
前記走行予定経路に関する情報と前記走行予定時間に関する情報とに基づいて予想される前記放送番組の電波の予想受信率と、前記番組放送予定情報と、前記放送番組の電波の受信状態により変化するユーザの放送番組に対する嗜好度に関する情報と、に基づいて放送番組に対するユーザの視聴満足度を算出する視聴満足度算出手段と、
前記視聴満足度に基づいて作成された番組情報を提供する番組情報提供手段と、
を備えることを特徴とする番組情報提供装置。
【請求項２】
前記嗜好度に関する情報として、放送番組を最初から最後まで視聴できるかどうかの完全視聴可能性に関する情報を用いること、
を特徴とする請求項１に記載の番組情報提供装置。
【請求項３】
視聴満足度算出手段は、前記走行予定経路における所定の走行経路ごとの予想受信率の算出し、該所定の走行経路ごとの予想受信率に基づいて前記走行予定時間における所定の時間ごとの予想受信率を算出し、該所定の時間ごとの予想受信率を任意の時間単位で平均化することにより、前記放送番組の電波の予想受信率を算出すること、
を特徴とする請求項１に記載の番組情報提供装置。
【発明の詳細な説明】
【技術分野】
【０００１】
本発明は、番組情報提供装置に関するものであり、特に、自動車の車両に搭載されてＴＶ放送番組などの番組放送の予定情報をユーザに提供する番組情報提供装置に関するものである。
【背景技術】
【０００２】
従来、自動車の車両に搭載されたＴＶにより地上波ＴＶ放送を視聴することができ、多くのユーザにより使用されている。そして、ユーザにお薦め番組などの番組表を提供する技術も提案されており、ユーザはこの番組表に基づいて社内で視聴するＴＶ番組を決めることも多い。このような番組表を提供する技術として、例えば時間帯毎に、当該時間帯に移動体が位置すると予測される地域の番組放送予定を表した番組放送予定情報をユーザに提供し、ユーザは移動中に利用することのできる番組放送予定を容易に把握することができる番組放送予定情報提供装置などが提案されている（たとえば、特許文献１参照）。
【０００３】
また、お薦め番組などの番組表を提供するために一種のフィルタリングとしてユーザの嗜好と受信状態とを別々に考慮してお薦め度を算出して表示することなども行われている。
【０００４】
【特許文献１】特開２００６−２７９８６０号公報
【発明の開示】
【発明が解決しようとする課題】
【０００５】
しかしながら、従来はユーザの嗜好だけを考慮してお薦め番組を表示する、または走行中に受信状態が良いと思われる番組を表示することが行われている。すなわち、お薦め番組を表示するに際して、受信状態によってユーザの嗜好が変わることが考慮されていない、という問題がある。
【０００６】
そして、ユーザの立場からは例えば以下のような要望がある。例えば、ドラマやスポーツの試合等のジャンルは一度見始めたら最後まで見たいのに、番組の終了時間が到着時間より遅いため、最後まで見るためには車で見なければならない。番組の最後が切れるのであれば、そのジャンルはお薦めして欲しくない。また、逆に走行予定時間が少なく、視聴時間が短くなる場合は、バラエティやクイズ等をお薦めして欲しい。また、受信状態が悪く、１セグを見ている時間が長そうなときには、風景番組等、画質にこだわりたいジャンルの番組はお薦めして欲しくない。
【０００７】
このように、ユーザの立場からは、番組を最初から最後まで見られるかどうかや受信状態により変化するユーザの嗜好を考慮してお薦め番組を表示して欲しい、との要望があるが、この要望に応える技術は未だ確立されていない。
【０００８】
本発明は、上記に鑑みてなされたものであって、放送番組の電波の受信状態により変化するユーザの嗜好を考慮して、ユーザの嗜好にあった番組の情報をお薦め番組としてユーザに提供することができる番組情報提供装置を提供すること。
【課題を解決するための手段】
【０００９】
上述した課題を解決し、目的を達成するために、本発明にかかる番組情報提供装置は、車両内において視聴可能な放送番組の番組情報をユーザに提供する番組情報提供装置であって、車両の出発地から目的地までの走行予定時間に関する情報に基づいて、車両の出発地から目的地までの走行予定経路における放送番組の放送予定に関する番組放送予定情報を取得する番組放送予定情報取得手段と、放送番組の電波の受信状態により変化するユーザの放送番組に対する嗜好度に関する情報を記憶する記憶手段と、走行予定経路に関する情報と走行予定時間に関する情報とに基づいて予想される放送番組の電波の予想受信率と、番組放送予定情報と、放送番組の電波の受信状態により変化するユーザの放送番組に対する嗜好度に関する情報と、に基づいて放送番組に対するユーザの視聴満足度を算出する視聴満足度算出手段と、視聴満足度の高い番組に基づいて作成された番組情報を提供する番組情報提供手段と、を備えることを特徴とする。
【発明の効果】
【００１０】
この発明によれば、放送番組の電波の受信状態により変化するユーザの嗜好を細かく考慮して、ユーザの嗜好にあった番組の情報をお薦め番組としてユーザに提供することができる、という効果を奏する。
【発明を実施するための最良の形態】
【００１１】
以下に、本発明にかかる番組情報提供装置の実施の形態を図面に基づいて詳細に説明する。なお、本発明は以下の記述に限定されるものではなく、本発明の要旨を逸脱しない範囲において適宜変更可能である。
【００１２】
実施の形態
図１は、本発明の実施の形態にかかる番組情報提供装置の概略構成を示す図である。本実施の形態にかかる番組情報提供装置１は、車両内においてカーナビゲーションで視聴可能な各番組についてユーザの視聴満足度を算出し、この視聴満足度の高いものをお薦め番組としてユーザに提供する番組情報提供装置である。特に、本実施の形態にかかる番組情報提供装置１は、ＴＶ放送番組を最初から最後まで見られるかどうかの完全視聴可能性、放送番組の電波の受信状態により変化するユーザの嗜好とを考慮してユーザの視聴満足度を算出し、この視聴満足度の高いものをお薦め番組としてユーザに提供することができる番組情報提供装置である。
【００１３】
本実施の形態にかかる番組情報提供装置１は、ユーザインタフェース（Ｉ／Ｆ）部１１と、ＴＶモジュール部１２と、ナビゲーション部１３と、記憶部１４と、制御部１５と、表示部１６と、を備えている。ユーザインタフェース（Ｉ／Ｆ）部１１は、タッチパネル等の操作手段を含むユーザインタフェース手段である。ＴＶモジュール部１２は、放送局の送信アンテナから送信される地上波ＴＶ放送を受信する。また、ＴＶモジュール部１２は、車両の目的地に関する情報に基づいて、無線通信機能を有しておりインターネットに接続して、車両の走行予定地域のＥＰＧ（Electronic Program Guide）などの番組放送予定に関する情報を取得する番組放送予定情報取得手段としての機能を有する。
【００１４】
ナビゲーション部１３は、車両の目的地に関する情報に基づいて、車両の出発地から目的地までの走行予定経路に関する情報、車両の出発地から目的地までの所要時間や各地点における到着時間等の走行予定時間に関する情報を推定して案内等を行うナビゲーション手段である。記憶部１４は、ＲＯＭやＲＡＭ等のメモリを有し、各種情報および実行プログラムを記憶する。そして、記憶部１４は、放送番組の電波の受信状態により変化するユーザの放送番組に対する嗜好度に関する情報として、番組ジャンル毎のユーザの嗜好リストを記憶している。番組ジャンル毎のユーザの嗜好リストは、予めユーザにより入力されたユーザの番組ジャンル毎の嗜好に関する情報をリストとしたまとめたものである。
【００１５】
制御部１５は、お薦め番組情報を作成するとともに番組情報提供装置全体の制御を行う。また、制御部１５の中には、車両が目的地に到着するまでの間に車両内において視聴可能な番組に対するユーザの視聴満足度を算出する視聴満足度算出部１７を備える。視聴満足度算出部１７は、走行コースごとの予想受信率の算出、時間ごとの予想受信率の算出、および放送番組の電波の受信状態により変化するユーザの嗜好の考慮を行って、ユーザの視聴満足度を算出する。すなわち、車両の目的地までの走行予定経路に関する情報に基づいて予想される放送番組の電波の予想受信率（走行コースごとの予想受信率）と、車両の目的地までの走行予定時間に関する情報に基づいて予想される放送番組の電波の予想受信率（時間ごとの予想受信率）と、番組放送予定に関する情報と、放送番組の電波の受信状態により変化するユーザの放送番組に対する嗜好度に関する情報と、に基づいて放送番組に対するユーザの視聴満足度を算出する。また、視聴満足度算出部１７は、視聴満足度に基づいて作成された番組情報を提供する番組情報提供手段としての機能も有する。
【００１６】
表示部１６は、ナビゲーション情報やＴＶ放送番組などを表示するとともに、お薦め番組情報を表示する。
【００１７】
なお、本実施の形態にかかる番組情報提供装置１は、その一部をＣＰＵ等のマイクロプロセッサや記憶メモリなどを備えた一般的な半導体集積回路として構成することができる。そして、マイクロプロセッサが記憶メモリから予め用意された実行プログラムを読み出して実行することにより上記の制御部１５等の機能部がメモリ上にロードされ、生成されるようになっていても良い。
【００１８】
次に、上記のように構成された本実施の形態にかかる番組情報提供装置１の動作について図面参照して説明する。まず、図２を参照して、動作の概要について説明する。図２は、本実施の形態にかかる番組情報提供装置１の動作の概要を説明するためのフローチャートである。
【００１９】
まず、ユーザがユーザインタフェース（Ｉ／Ｆ）部１１を用いて目的地情報を入力する。ナビゲーション部１３は、ユーザにより入力された目的地情報を受信すると（ステップＳ１１）、該目的地情報に基づいて走行コースおよび到着予定時刻を算出する（ステップＳ１２）。次に、ＴＶモジュール部１２が、インターネットに接続し、現在時刻（出発時刻）から到着予定時刻までのＥＰＧを取得する（ステップＳ１３）。そして、視聴満足度算出部１７が、走行コースの受信状態を算出する（ステップＳ１４）。
【００２０】
次に、視聴満足度算出部１７が、到着予定時刻と、ＥＰＧと、走行コースの受信状態と、番組ジャンル毎のユーザの嗜好リストと、基づいて、番組を最初から最後まで視聴できるかどうかの完全視聴可能性と、放送番組の電波の受信状態により変化するユーザの嗜好と、を考慮してユーザの視聴満足度を算出する（ステップＳ１５）。ここで、ユーザがユーザインタフェース（Ｉ／Ｆ）部１１を用いてお薦め番組の検索情報を入力すると、制御部１５はこのお薦め番組の検索情報を受信する（ステップＳ１６）。そして、制御部１５は該お薦め番組の検索情報に基づいて、視聴満足度の高い番組をお薦め番組として表示部１６に表示する（ステップＳ１７）。
【００２１】
お薦め番組の表示の方法としては、例えば、お薦め度（視聴満足度）の高い番組を一覧表示する方法がある。また、他の方法として、お薦め度（視聴満足度）が高い番組をＥＰＧ上で強調表示する方法がある。さらに他の方法として、視聴可能な視聴可能番組一覧を作成、表示し、該視聴可能番組一覧の中でお薦め度（視聴満足度）が高い番組の並び順が上になるように表示する方法がある。なお、お薦め番組の表示の方法としてはこれに限定されるものではなく、ユーザに分かり易く且つ確実にお薦め番組の情報を提供することができる方法であれば良い。
【００２２】
これにより、表示部１６には、ＴＶ放送番組を最初から最後まで見られるかの完全視聴可能性と、放送番組の電波の受信状態により変化するユーザの嗜好とが考慮された、ユーザの嗜好にあった番組が表示されるため、ユーザは自分の嗜好にあった番組を手軽に見ることができる。
【００２３】
つぎに、ステップＳ１４における走行コースの受信状態を算出する処理について図面を参照して詳細に説明する。
【００２４】
（走行コースごとの予想受信率の算出）
まず、走行コースごとの予想受信率を算出する処理について図３を参照して説明する。図３は、走行コースごとの予想受信率を算出する処理を説明するためのフローチャートである。最初に、視聴満足度算出部１７は、記憶部１４より送信アンテナの緯度経度、送信アンテナの海抜高さ、および電波強度に関する情報を取得する（ステップＳ１０１）。つぎに、視聴満足度算出部１７は、ナビゲーション部１３より、走行コースのコースデータ、現在位置、現在海抜高さ、および車両の走行方向に関する情報を取得する（ステップＳ１０２）。なお、ステップＳ１０１とステップＳ１０２とは順番を逆にしても良く、また同時に行っても良い。
【００２５】
送信アンテナから車両走行位置（走行コース上の所定位置）までの距離によって電波強度が変化するため、つぎに視聴満足度算出部１７は、送信アンテナから車両走行位置（走行コース上の所定位置）までの距離と電波強度とから理論的な電波強度Ｓ１を算出する（ステップＳ１０３）。
【００２６】
送信アンテナの位置と車両走行位置（走行コース上の所定位置）とを結ぶ線分の方向（以下、送信アンテナ方向と呼ぶ）と車両の走行方向とのなす角度によって電波強度が変化する。このため、次に視聴満足度算出部１７は、送信アンテナの緯度経度とコースデータと車両の走行方向とから、受信アンテナ方向と車両の走行方向とのなす角度θを算出する。ここでは、水平方向の角度としてθｈ（０＜θｈ＜９０）、垂直方向の角度としてθｖ（０＜θｖ＜９０）を算出する（ステップＳ１０４）。
【００２７】
次に、視聴満足度算出部１７は、角度θに応じた受信状態悪化率α１（％）を算出する。市街地において受信アンテナが車両の走行方向と直角の方向にある場合に受信率が低下する。ここで、受信状態悪化率α１は、θｈおよびθｖの関数であり、α１＝Ｆ（θｈ、θｖ）と表すことができる。この関数Ｆ（θｈ、θｖ）自体は、例えば走行実験などの実績により導き出すことができる（ステップＳ１０５）。
【００２８】
次に、視聴満足度算出部１７は、車両走行位置（走行コース上の所定位置）市街地かどうかをコースデータより判定し、受信状態悪化率α１を修正する。市街地である場合にはα１＝１００（％）とし、市街地でない場合にはα１＝α１とする（ステップＳ１０６）。
【００２９】
次に、視聴満足度算出部１７は、走行コースの制限速度、走行コースの信号数、および走行コースの渋滞状況の情報をナビゲーション部１３より取得する（ステップＳ１０７）。そして、視聴満足度算出部１７は、取得した走行コースの制限速度、走行コースの信号数、および走行コースの渋滞状況の情報に基づいて、走行コースを走行する場合の平均走行速度Ｖを算出する（ステップＳ１０８）。
【００３０】
次に、視聴満足度算出部１７は、ドップラーシフトによる受信悪化率β（％）を算出する（ステップＳ１０９）。送信アンテナが車両の走行方向にある場合に速度が遅いとドップラーシフトにより受信率が低下する。ここで、ドップラーシフトによる受信悪化率βは、平均走行速度Ｖ、θｈおよびθｖの関数であり、β＝Ｆ（Ｖ、θｈ、θｖ）と表すことができる。この関数Ｆ（θｈ、θｖ）自体は、例えば走行実験などの実績により導き出すことができる。
【００３１】
そして、視聴満足度算出部１７は、先に求めた受信状態悪化率α１をドップラーシフトによる受信悪化率βを用いて修正し、最終的な受信状態悪化率αを算出する。ここで、最終的な受信状態悪化率αは、α＝α１×βにより算出する（ステップＳ１１０）。
【００３２】
ついで、ステップＳ１０３で算出した理論的な電波強度Ｓ１を、ステップＳ１１０で算出した最終的な受信状態悪化率αで修正し、走行コースごとの最終的な予想受信率Ｓを算出する（ステップＳ１１１）。上記のような走行コースごとの予想受信率Ｓは、現在位置から目的地までの車両の全走行コース中において、走行コースがカーブを曲がるごとに、また周りの状況が変わるごとに、また一定の距離ごと（例えば１０ｋｍごと）に算出する。
【００３３】
上述した走行コースごとの予想受信率Ｓの概念を、図４に示す概念図を用いて説明する。図４は、走行コースごとの予想受信率のを模式的に示す図である。図４に示す概念図では、地点Ａから地点Ｂまでの車の走行コースが、コースＣ１１と、コースＣ１２と、コースＣ１３と、コースＣ１４と、コースＣ１５と、により構成され、また送信アンテナＤが所定の位置に設けられている。ここで、コースＣ１４は市街地であり、その他のコースは市街地ではない。
【００３４】
コースＣ１１においては、ドップラーシフトで予想受信率Ｓが例えば８０％に低下する。次に、コースＣ１２およびコースＣ１３においては、予想受信率Ｓが例えば９０％に上昇する。次に、市街地であるコースＣ１４においては、市街地の建物が電波を遮断するため受信率が低下し、予想受信率Ｓが例えば６０％に低下する。次に、市街地を抜けたコースＣ１５においては、予想受信率Ｓが例えば９０％に上昇する。
【００３５】
（所定時間ごとの予想受信率の算出）
次に、時間ごとの予想受信率を算出する方法について説明する。視聴満足度算出部１７は、上記のようにして走行コースごとの予想受信率Ｓを算出した後、所定の時間ごとの予想受信率を算出する。以下、時間ごとの予想受信率の算出処理について図５〜図８を用いて説明する。ここでは、図５に示すような走行コースごとの予想受信率が得られている場合を例に説明する。また、走行コースにおける各地点の到着時刻の一例を図６に示す。
【００３６】
図５においては、出発地点から到着地点までの走行コースは、コースＣ２１と、コースＣ２２と、コースＣ２３と、コースＣ２４と、コースＣ２５と、コースＣ２６と、コースＣ２７と、コースＣ２８と、コースＣ２９と、により構成された走行コースである。図５においては、コースＣ２１〜コースＣ２９のそれぞれのコースについて、上記の図３のフローの処理により算出した、一定距離またはコースが変化するごとの走行コースごとの予想受信率の一例を、各コースの横に記してある。
【００３７】
次に、所定の時間ごとの予想受信率を算出する処理について図７を参照しながら説明する。図７は、所定の時間ごとの予想受信率を算出する処理の流れを説明するためのフローチャートである。まず、視聴満足度算出部１７は、このような走行コースにおける各地点の到着時刻を、ナビゲーション部１３から取得し（ステップＳ２０１）、一定距離または各コースの走行予定時間を取得した各地点の到着時刻から算出する（ステップＳ２０２）。走行コースにおける各地点の到着時刻はたとえば図６に示すようになる。つぎに、視聴満足度算出部１７は、図３のフローの処理により算出した走行コースごとの予想受信率Ｓと、一定距離または各コースの走行予定時間Ｔと、から所定の時間（一定時間）ごとの予想受信率γを算出する（ステップＳ２０３）。
【００３８】
ここで、一定時間ごとの予想受信率γは、ＳとＴとの関数であり、γ＝Ｆ（Ｓ、Ｔ）と表すことができる。この関数Ｆ（Ｓ、Ｔ）自体は、たとえばコースＡの走行予定時間がＴａ、コースＢの走行予定時間がＴｂ、コースＡの予想受信率がＳａ、コースＢの予想受信率がＳｂである場合には、γ＝（Ｓａ×Ｔａ＋Ｓｂ×Ｔｂ）／（Ｔａ＋Ｔｂ）と表すことができる。
【００３９】
たとえば、時刻１０：３２〜１０：３３にはコースＣ２６を走行し、時刻１０：３３〜１０：３４にはコースＣ２７を走行する場合には、時刻１０：３２〜１０：３４の予想受信率γは以下のようになる。
γ＝（７０％×１分＋９０％×１分）／（１分＋１分）＝８０％
【００４０】
このようにして求めた時刻１０：３２（出発地点）〜１０：４０（到着地点）までの、一定時間ごとの予想受信率γの一例を図８に示す。また、この例では、コースＣ２２の一部からコースＣ２３の一部にかけて区間が渋滞区間であり、走行予定時間が長くなる。また、コースＣ２７の一部の区間が信号が多い区間であり、走行予定時間が長くなる。したがって、このような区間においては、時間毎の予想受信率は高くなる。
【００４１】
そして、図８に示した一定時間ごとの予想受信率γのデータを任意の時間単位で平均化してもう少し長い時間単位で表示すると、図９に示すような予想受信率γのデータ図が得られる。図９に示すデータ図においては、色が薄い方が予想受信率γが高いことを示している。
【００４２】
（放送番組の電波の受信状態により変化するユーザの嗜好の考慮）
つぎに、放送番組を最初から最後まで見られるかどうかの完全視聴可能性と、放送番組の電波の受信状態により変化するユーザの嗜好を考慮して視聴満足度を算出する処理について図１０−１および図１０−２を参照しながら説明する。図１０−１および図１０−２は、視聴満足度を算出する処理の流れを説明するためのフローチャートである。
【００４３】
上記のようにして時間ごとの予想受信率γを算出した後、ＴＶモジュール部１２がインターネットに接続し、到着時刻までのＥＰＧを取得する。また、ＴＶモジュール部１２は、所定の期間のＥＰＧを予め取得して保持していても良い。
【００４４】
そして、視聴満足度算出部１７は、ＴＶモジュール部１２から現在時刻（出発時刻）から到着時刻までの間に放送している番組の放送時間に関する情報を取得し（ステップＳ３０１）、この情報と先に算出した図９に示すデータ図の時間ごとの予想受信率γのデータを用いて、図１１に示すように各番組（たとえば番組Ａ）の平均受信率Ｄ（％）を算出する（ステップＳ３０２）。
【００４５】
つぎに、視聴満足度算出部１７は、「平均受信率が低いこと」による満足度低下率Ｘ１を算出する（ステップＳ３０３）。ここで、満足度低下率Ｘ１の算出は、たとえば番組の平均受信率Ｄ（％）を用いて以下のような定義により行う。
満足度低下率Ｘ１＝０．２（Ｄ＜７０）
満足度低下率Ｘ１＝０．９（７０≦Ｄ≦８０）
満足度低下率Ｘ１＝０．２（８０＜Ｄ）
【００４６】
そして、視聴満足度算出部１７は、この満足度低下率Ｘ１を用いて、ユーザの視聴満足度Ｚ１の修正を行い、「平均受信率が低いこと」による満足度低下率Ｘ１を考慮した視聴満足度Ｚ２を算出する（ステップＳ３０４）。視聴満足度Ｚ２の算出（視聴満足度Ｚ１の修正）は、Ｚ２＝Ｚ１×Ｘ１により求める。ここで、視聴満足度の算出処理の開始時においては、ユーザの視聴満足度Ｚ１は１００％とする。
【００４７】
つぎに、視聴満足度算出部１７は、到着時刻およびＴＶモジュール部１２から取得した番組の放送時間に関する情報に基づいて、番組が最後まで見られるかどうかを判断する（ステップＳ３０５）。ここで、番組が最後まで見られないと判断した場合は（ステップＳ３０５否定）、視聴満足度算出部１７は、ＴＶモジュール部１２からその番組のジャンルに関する情報を取得する（ステップＳ３０６）。また、視聴満足度算出部１７は、たとえば図１２に示すような、番組ジャンルごとのユーザの嗜好リストを記憶部１４から取得する（ステップＳ３０７）。
【００４８】
番組ジャンルごとのユーザの嗜好リストには、たとえば図１２に示すように、「ドラマ」、「スポーツ」、「映画」などのような番組のジャンルと、「ユーザが番組を最後まで見たい度合い」、「ユーザが番組を最初から見たい度合い」、「ユーザが番組の画質にこだわりたい度合い」が情報として保持されている。たとえば図１２に示すリストにおいては、「Ａ」が嗜好度合いが高く、「Ａ」→「Ｂ」→「Ｃ」の順番で嗜好度合いが低くなる。
【００４９】
そして、視聴満足度算出部１７は、「視聴が途中で切れること」による満足度低下率Ｘ２を算出する（ステップＳ３０８）。ここで、満足度低下率Ｘ２の算出は、番組のジャンルに関する情報と、番組ジャンルごとのユーザの嗜好リストの「ユーザが番組を最後まで見たい度合い」の情報と、を用いて以下のような定義により行う。
満足度低下率Ｘ２＝０．７（「ユーザが番組を最後まで見たい度合い」がＡの場合）
満足度低下率Ｘ２＝０．９（「ユーザが番組を最後まで見たい度合い」がＢの場合）
満足度低下率Ｘ２＝１（「ユーザが番組を最後まで見たい度合い」がＣの場合）
【００５０】
そして、視聴満足度算出部１７は、この満足度低下率Ｘ２を用いて、ユーザの視聴満足度Ｚ２の修正を行い、「ユーザが番組を最後まで見たい度合い」による満足度低下率Ｘ２を考慮した視聴満足度Ｚ３を算出して（ステップＳ３０９）、次のステップＳ３１０に進む。視聴満足度Ｚ３の算出（視聴満足度Ｚ２の修正）は、Ｚ３＝Ｚ２×Ｘ２により求める。
【００５１】
一方、ステップＳ３０５に戻って、番組が最後まで見られると判断した場合は（ステップＳ３０５肯定）、そのままステップＳ３１０に進む。
【００５２】
つぎに、視聴満足度算出部１７は、現在時刻（出発時刻）およびＴＶモジュール部１２から取得した番組の放送時間に関する情報に基づいて、番組が最初から見られるかどうかを判断する（ステップＳ３１０）。ここで、番組が最初から見られないと判断した場合は（ステップＳ３１０否定）、視聴満足度算出部１７は、「最初から視聴できないこと」による満足度低下率Ｘ３を算出する（ステップＳ３１１）。
【００５３】
ここで、満足度低下率Ｘ３の算出は、先にステップＳ３０６およびステップＳ３０７において取得した番組のジャンルに関する情報と、番組ジャンルごとのユーザの嗜好リストの「ユーザが番組を最初から見たい度合い」の情報と、を用いて以下のような定義により行う。
満足度低下率Ｘ３＝０．７（「ユーザが番組を最初から見たい度合い」がＡの場合）
満足度低下率Ｘ３＝０．９（「ユーザが番組を最初から見たい度合い」がＢの場合）
満足度低下率Ｘ３＝１（「ユーザが番組を最初から見たい度合い」がＣの場合）
【００５４】
そして、視聴満足度算出部１７は、この満足度低下率Ｘ３を用いて、ユーザの視聴満足度Ｚ３の修正を行い、「ユーザが番組を最初から見たい度合い」による満足度低下率Ｘ３を考慮した視聴満足度Ｚ４を算出して（ステップＳ３１２）、次のステップＳ３１６に進む。視聴満足度Ｚ４の算出（視聴満足度Ｚ３の修正）は、Ｚ４＝Ｚ３×Ｘ３により求める。
【００５５】
一方、ステップＳ３１０に戻って、番組が最初から見られると判断した場合は（ステップＳ３１０肯定）、視聴満足度算出部１７は先にステップＳ３０１でＴＶモジュール部１２から取得した番組の放送時間に関する情報と現在時刻（出発時刻）とに基づいて、番組開始までの待ち時間Ｔｗを算出する（ステップＳ３１３）。そして、視聴満足度算出部１７は、この番組開始までの待ち時間Ｔｗを用いて、番組開始まで待ち時間があることによる満足度低下率Ｘ４を算出する（ステップＳ３１４）。
【００５６】
ここで、満足度低下率Ｘ４の算出は、以下のような定義により行う。
満足度低下率Ｘ４＝０．７（番組開始までの待ち時間Ｔｗ＞１５分の場合）
満足度低下率Ｘ４＝０．９（番組開始までの待ち時間Ｔｗ＞５分の場合）
満足度低下率Ｘ４＝１（５分≧番組開始までの待ち時間Ｔｗの場合）
【００５７】
そして、視聴満足度算出部１７は、この満足度低下率Ｘ４を用いて、ユーザの視聴満足度Ｚ３の修正を行い、「番組開始まで待ち時間があること」による満足度低下率Ｘ４を考慮した視聴満足度Ｚ５を算出して（ステップＳ３１５）、次のステップＳ３１６に進む。視聴満足度Ｚ５の算出（視聴満足度Ｚ３の修正）は、Ｚ５＝Ｚ３×Ｘ４により求める。
【００５８】
つぎに、視聴満足度算出部１７は、「画質が悪いこと」による満足度低下率Ｘ５を算出する（ステップＳ３１６）。ここで、満足度低下率Ｘ５の算出は、先にステップＳ３０６およびステップＳ３０７において取得した番組のジャンルに関する情報と、番組ジャンルごとのユーザの嗜好リストの「画質にこだわりたい度合い」の情報とを用いて以下のような定義により行う。
満足度低下率Ｘ５＝０．７（「画質にこだわりたい度合い」がＡの場合）
満足度低下率Ｘ５＝０．９（「画質にこだわりたい度合い」がＢの場合）
満足度低下率Ｘ５＝１（「画質にこだわりたい度合い」がＣの場合）
【００５９】
そして、視聴満足度算出部１７は、この満足度低下率Ｘ５を用いて、ユーザの視聴満足度Ｚ４またはＺ５の修正を行い、「ユーザが画質にこだわりたい度合い」による、すなわち「画質が悪いこと」による満足度低下率Ｘ５を考慮した視聴満足度Ｚ６を算出する（ステップＳ３１７）。視聴満足度Ｚ６の算出（視聴満足度Ｚ４またはＺ５の修正）は、Ｚ６＝（Ｚ３またはＺ４）×Ｘ５により求める。
【００６０】
視聴満足度算出部１７は、このようにして算出した視聴満足度Ｚ６をその番組の最終的な視聴満足度Ｚとして記憶部１４に記憶させる（ステップＳ３１８）。視聴満足度算出部１７は、上述した処理を、現在時刻（出発時刻）から到着時刻までの間に放送している番組のそれぞれに対して行い、その番組の最終的な視聴満足度Ｚを記憶部１４に記憶させる。
【００６１】
上述したように、本実施の形態にかかる番組情報提供装置１においては、現在時刻（出発時刻）から到着時刻までの間に放送している番組のお薦め度（視聴満足度）を算出する際に、番組のジャンルによって、最初からまたは最後までユーザが見たいかどうかの嗜好を考慮することができ、さらにその嗜好度により考慮度合いを変えることができる。
【００６２】
また、本実施の形態にかかる番組情報提供装置１においては、現在時刻（出発時刻）から到着時刻までの間に放送している番組のお薦め度（視聴満足度）を算出する際に、番組のジャンルによって、画質にこだわるかどうかの嗜好を考慮することができ、さらにその嗜好度により考慮度合いを変えることができる。
【００６３】
したがって、本実施の形態にかかる番組情報提供装置１においては、放送番組の電波の受信状態により変化するユーザの嗜好を細かく考慮して視聴満足度を算出し、該視聴満足度を用いることによりユーザの嗜好にあった番組の情報をお薦め番組としてユーザに提供することができる。
【００６４】
これにより、たとえばお年寄りのユーザでも、放送番組の電波の受信状態、番組放送時間、目的地への到着時間等を考慮しながら番組を選択するという苦労をすることなく、手軽に、満足の得られる番組を選択してみられるようになる。
【図面の簡単な説明】
【００６５】
【図１】本発明の実施の形態にかかる番組情報提供装置の概略構成を示す図。
【図２】本実施の形態にかかる番組情報提供装置の動作の概要を説明するためのフローチャート。
【図３】本実施の形態にかかる番組情報提供装置において走行コースごとの予想受信率を算出する処理を説明するためのフローチャート。
【図４】本実施の形態にかかる番組情報提供装置における走行コースごとの予想受信率を模式的に示す図。
【図５】本実施の形態にかかる番組情報提供装置における走行コースの予想受信率の一例を模式的に示す図。
【図６】本実施の形態にかかる番組情報提供装置における走行コースにおける各地点の到着時刻の一例を示す図。
【図７】本実施の形態にかかる番組情報提供装置における時間ごとの予想受信率を算出する処理の流れを説明するためのフローチャート。
【図８】本実施の形態にかかる番組情報提供装置における時間ごとの予想受信率γの一例を示す図。
【図９】本実施の形態にかかる番組情報提供装置における予想受信率γのデータ図。
【図１０−１】本実施の形態にかかる番組情報提供装置における視聴満足度を算出する処理の流れを説明するためのフローチャート。
【図１０−２】本実施の形態にかかる番組情報提供装置における視聴満足度を算出する処理の流れを説明するためのフローチャート。
【図１１】本実施の形態にかかる番組情報提供装置における番組の平均受信率Ｄ（％）を説明するための図。
【図１２】本実施の形態にかかる番組情報提供装置における番組ジャンルごとのユーザの嗜好リストを示す図。
【符号の説明】
【００６６】
１   番組情報提供装置
１１  ユーザインタフェース（Ｉ／Ｆ）部
１２  ＴＶモジュール部
１３  ナビゲーション部
１４  記憶部
１５  制御部
１６  表示部
１７  視聴満足度算出部
【図１】
2009033671.tif 000003
【図２】
2009033671.tif 000004
【図３】
2009033671.tif 000005
【図４】
2009033671.tif 000006
【図５】
2009033671.tif 000007
【図６】
2009033671.tif 000008
【図７】
2009033671.tif 000009
【図８】
2009033671.tif 000010
【図９】
2009033671.tif 000011
【図１０−１】
2009033671.tif 000012
【図１０−２】
2009033671.tif 000013
【図１１】
2009033671.tif 000014
【図１２】
2009033671.tif 000015